(57)【特許請求の範囲】
【請求項１】
１つの伝送帯域を複数のセグメントに分割し、複数のセグメントを利用した第１の変調方式による第１の番組放送と、前記複数のセグメントと異なるセグメントを利用した第２の変調方式による第２の番組放送を１つのチャンネルに含むディジタル放送を受信可能なディジタル放送受信装置であって、
選局されたディジタル放送を受信するｎ個（ｎは２以上の自然数）のチューナーを備えた受信手段と、
前記受信手段で受信された信号をダイバーシティ合成する合成手段と、
ダイバーシティ合成された信号を受け取り、第１の番組放送または第２の番組放送を出力する出力手段と、
前記受信手段、前記合成手段および前記出力手段をそれぞれ制御可能な制御手段とを有し、
前記制御手段は、
ダイバーシティ合成された信号の受信感度に基づき、ｎ個のチューナーにより第１の番組放送を受信しているときの受信感度がしきい値以下になった場合には、ｐ個（ｎ＞ｐ）のチューナーにより現在の放送局を受信させ、ｎ−ｐ個のチューナーにより他の放送局をサーチさせるサーチ制御手段と、
ｐ個のチューナーによる現在の放送局の受信感度とｎ−ｐ個のチューナーによる他の放送局の受信感度を比較し、比較結果に基づき前記受信手段による放送局の切換えを制御する切換制御手段と、
受信感度が前記しきい値を超えるとき、前記出力手段に第１の番組放送を出力させ、受信感度が前記しきい値以下のとき、前記出力手段に第２の番組放送を出力させる出力制御手段とを有し、
前記切換制御手段は、ｎ−ｐ個のチューナーによる他の放送局の受信感度からｎ個のチューナーにより他の放送局を受信したときに得られるであろう第１の受信感度を予測し、前記切換制御手段は、当該予測された第１の受信感度が前記しきい値を超えたとき、現在の放送局から他の放送局へ受信を切換えてｎ個のチューナーにより他の放送局の第１の番組放送を出力させ、前記予測された第１の受信感度が前記しきい値以下であるとき、ｎ個のチューナーにより現在の放送局の受信を継続させて現在の放送局の第２の番組放送を出力させる、ディジタル放送受信装置。
【請求項２】
前記切換制御手段はさらに、ｐ個のチューナーによる現在の放送局の受信感度からｎ個のチューナーにより現在の放送局を受信したときに得られるであろう第２の受信感度を予測し、第１の受信感度が第２の受信感度よりも大きくかつ前記しきい値を超えたとき、現在の放送局から他の放送局へ受信を切換えさせる、請求項１に記載のディジタル放送受信装置。
【請求項３】
前記切換制御手段は、移動体の速度に応じて前記第１の受信感度の予測を可変する、請求項１または２に記載のディジタル放送受信装置。
【請求項４】
前記切換制御手段は、ｎ−ｐ個のチューナーによる他の放送局の受信感度が高くなるような補正値を付加することにより第１の受信感度を予測し、当該補正値は、ｎ−ｐの数によって決定される、請求項１または２に記載のディジタル放送受信装置。
【請求項５】
前記切換制御手段は、ｎ−ｐ個のチューナーによる受信感度としての電界強度に一定の係数である補正値を加算する、請求項１ないし４いずれか１つに記載のディジタル放送受信装置。
【請求項６】
前記切換制御手段は、移動体の速度が一定値を超えたとき、前記補正値を可変する、請求項４または５に記載のディジタル放送受信装置。
【請求項７】
前記切換制御手段は、予め用意された補正値をメモリに記憶し、前記第１の受信感度を予測するとき、ｎ−ｐ個のチューナーの数または移動体の速度に基づきメモリから補正値を読出す、請求項１ないし６いずれか１つに記載のディジタル放送受信装置。
【請求項８】
前記サーチ制御手段は、他の放送局のサーチとして中継局および系列局のサーチを含み、系列局よりも中継局を優先的にサーチする、請求項１ないし７いずれか１つに記載のディジタル放送受信装置。
【請求項９】
前記サーチ制御手段は、所定期間、ｎ個のチューナーにより第１の番組放送を受信しているときの受信感度がしきい値以下になった場合に、他の放送局のサーチを開始させる、請求項１ないし８いずれか１つに記載のディジタル放送受信装置。
【請求項１０】
ｎが偶数であるとき、ｐ＝１／２ｎである、請求項１ないし９いずれか１つに記載のディジタル放送受信装置。
【請求項１１】
ｎが３以上であるとき、ｐ＝ｎ−１である、請求項１ないし９いずれか１つに記載のディジタル放送受信装置。
【請求項１２】
前記受信手段が４個のチューナーを備えているとき、前記サーチ制御手段は、３個のチューナーにより現在の放送局を受信させ、１個のチューナーにより他の放送局をサーチさせ、前記切換制御手段は、現在の放送局を受信している３個のチューナーの受信感度から４個のチューナーによる第２の受信感度を予測し、他の放送局をサーチしている１個のチューナーの受信感度から４個のチューナーによる第１の受信感度を予測し、
前記切換制御手段は、第１の受信感度が第２の受信感度よりも大きくかつ前記しきい値を超えるとき、前記他の放送局に受信を切換えさせる、請求項１１に記載のディジタル放送受信装置。
【請求項１３】
１つの伝送帯域を複数のセグメントに分割し、複数のセグメントを利用した第１の変調方式による第１の番組放送と、前記複数のセグメントと異なるセグメントを利用した第２の変調方式による第２の番組放送を１つのチャンネルに含むディジタル放送を受信可能なディジタル放送受信装置における自動選局方法であって、
ｎ個（ｎは２以上の自然数）のチューナーにより選局された放送局のディジタル放送を受信し、
受信された信号をダイバーシティ合成し、
ダイバーシティ合成された信号の受信感度が、第１の番組放送を受信するためのしきい値以下になった場合には、ｐ個（ｎ＞ｐ）のチューナーにより現在の放送局を受信し、ｎ−ｐ個のチューナーにより他の放送局をサーチし、
ｎ−ｐ個のチューナーによる他の放送局の受信感度からｎ個のチューナーにより他の放送局を受信したときに得られるであろう第１の受信感度を予測し、
当該予測された第１の受信感度が前記しきい値を超えたとき、現在の放送局から他の放送局へ受信を切換えてｎ個のチューナーにより他の放送局の第１の番組放送を出力させ、前記予測された第１の受信感度が前記しきい値以下であるとき、ｎ個のチューナーにより現在の放送局の受信を継続させて現在の放送局の第２の番組放送を出力する、自動選局方法。
【請求項１４】
自動選局方法はさらに、ｐ個のチューナーによる現在の放送局の受信感度からｎ個のチューナーにより現在の放送局を受信したときに得られるであろう第２の受信感度を予測し、
第１の受信感度が第２の受信感度よりも大きくかつ前記しきい値を超えたとき、現在の放送局から他の放送局へ受信を切換える、請求項１３に記載の自動選局方法。
【請求項１５】
自動選局方法はさらに、移動体の速度を入手し、入手された移動体の速度に応じて第１の受信感度を予測する、請求項１３または１４に記載の自動選局方法。
【請求項１６】
４個のチューナーを備えているとき、３個のチューナーにより現在の放送局を受信し、１個のチューナーにより他の放送局をサーチし、
現在の放送局を受信している３個のチューナーの受信感度から４個のチューナーによる第２の受信感度を予測し、他の放送局をサーチしている１個のチューナーの受信感度から４個のチューナーによる第１の受信感度を予測し、
第１の受信感度が第２の受信感度よりも大きくかつ前記しきい値を超えるとき、他の放送局に受信を切換える、請求項１３ないし１５いずれか１つに記載の自動選局方法。
【請求項１７】
１つの伝送帯域を複数のセグメントに分割し、複数のセグメントを利用した第１の変調方式による第１の番組放送と、前記複数のセグメントと異なるセグメントを利用した第２の変調方式による第２の番組放送を１つのチャンネルに含むディジタル放送を受信可能なディジタル放送受信装置が実行する自動選局プログラムであって、
ｎ個（ｎは２以上の自然数）のチューナーにより選局された放送局のディジタル放送を受信させ、
受信された信号をダイバーシティ合成させ、
ダイバーシティ合成された信号の受信感度が、第１の番組放送を受信するためのしきい値以下になった場合には、ｐ個（ｎ＞ｐ）のチューナーにより現在の放送局を受信させ、ｎ−ｐ個のチューナーにより他の放送局をサーチさせ、
ｎ−ｐ個のチューナーによる他の放送局の受信感度からｎ個のチューナーにより他の放送局を受信したときに得られるであろう第１の受信感度を予測し、
当該予測された第１の受信感度が前記しきい値を超えたとき、現在の放送局から他の放送局へ受信を切換えてｎ個のチューナーにより他の放送局の第１の番組放送を出力させ、前記予測された第１の受信感度が前記しきい値以下であるとき、ｎ個のチューナーにより現在の放送局の受信を継続させて現在の放送局の第２の番組放送を出力する、自動選局プログラム。
【請求項１８】
自動選局プログラムはさらに、ｐ個のチューナーによる現在の放送局の受信感度からｎ個のチューナーにより現在の放送局を受信したときに得られるであろう第２の受信感度を予測し、
第１の受信感度が第２の受信感度よりも大きくかつ前記しきい値を超えたとき、現在の放送局から他の放送局へ受信を切換えさせる、請求項１７に記載の自動選局プログラム。
【請求項１９】
自動選局プログラムはさらに、移動体の速度を入手し、入手された移動体の速度に応じて第１の受信感度を予測する、請求項１７または１８に記載の自動選局プログラム。
【請求項２０】
４個のチューナーを備えているとき、３個のチューナーにより現在の放送局を受信させ、１個のチューナーにより他の放送局をサーチさせ、
現在の放送局を受信している３個のチューナーの受信感度から４個のチューナーによる第２の受信感度を予測し、他の放送局をサーチしている１個のチューナーの受信感度から４個のチューナーによる第１の受信感度を予測し、
第１の受信感度が第２の受信感度よりも大きくかつ前記しきい値を超えるとき、他の放送局に受信を切換えさせる、請求項１７ないし１９いずれか１つに記載の自動選局プログラム。
【発明の詳細な説明】
【技術分野】
【０００１】
本発明は、ディジタル放送受信機に関し、特に車載用ディジタル放送受信機において受信感度が悪化したときの自動選局に関する。
【背景技術】
【０００２】
地上ディジタル放送は、１チャンネルの伝送帯域を１３のセグメントに分割し、セグメント単位で異なる変調方式を採用することで、固定受信機向けの放送サービス（いわゆるフルセグメント放送）と、移動体／携帯端末向けの放送サービス（いわゆるワンセグメント）放送とを同時に送信することを可能にしている。フルセグメント放送とワンセグメント放送の番組内容は通常同じである。
【０００３】
図１は、地上ディジタル放送のセグメント構造を示す図である。直交周波数分割多重方式（以下、ＯＦＤＭと称す）は、周波数軸上に狭帯域の搬送波を複数並べ、各搬送波にデータを振り分けて伝送するものであり、移動受信時に一部の搬送波の波形が乱れても、その周波数を使用して伝送するデータに誤りが発生するだけで、他の搬送波からのデータにより補正が可能であり、マルチパス干渉に強い。日本の地上ディジタル放送では、ＯＦＤＭのスペクトルラムを周波数毎に１３のセグメントに分割し、例えば第１から第６セグメントおよび第８から第１３のセグメントがフルセグメント放送に割り当てられ、これらのセグメントは、６４直交振幅変調（６４ＱＡＭ）により変調され、第７セグメントがワンセグメント放送に割り当てられ、ＱＰＳＫ等により変調される。
【０００４】
ＱＡＭとは、多数の振幅偏移変調を直交位相変調することで、位相変化と振幅変化を組み合わせた変調方式であり、１シンボル当たりの情報量を多くすることができるため、伝送効率が良いという利点があるが、高いＣＮ比(Carrier to Noise ratio)が必要となる。したがって、ＱＡＭ変調を用いたフルセグメント放送は、良好な電波状態でなければ、その番組を視聴することができない。
【０００５】
他方、位相偏移変調（ＰＳＫ）は、一定周波数の搬送波の位相を変化させることで変調するものであり、位相の種類を増やすことにより、変調１回当たりの送信するビットを増やすことができる。特に、ＱＰＳＫとは、１回の変調で２ビットを伝送するものである。ＱＰＫＳは、ＱＡＭと比較して伝送できる情報量は少ないが、電波状態が悪くＣＮ比が低い場合でも、情報を伝達でき、ノイズ耐性が高いという利点がある。
【０００６】
車載用の地上ディジタル受信装置では、受信エリアを広げるため、フルセグメント放送とワンセグメント放送の双方を自動的に切替える階層間受信を行っている。つまり、自車の走行位置や受信環境によって電波状態が異なるため、受信状態が比較的良好な地域では、ノイズ耐性の低いフルセグメント放送を受信しこれを高品位にて出力し、受信状態が悪い地域では、ノイズ耐性の高いワンセグメント放送を受信しこれを出力している。
【０００７】
また、地上ディジタル放送は、同じ番組でも中継局や系列局によってチャンネルが異なる場合があり、移動中に、今見ている番組の受信エリアを外れてしまうと、次の中継局や系列局を探し出すまで視聴が途切れてしまう。そこで、受信装置では、受信中のエリアから他のエリアに移動する際、電波の受信状況により４チューナーのうちの1つもしくは２つが中継局や系列局のサーチを開始する。受信エリアを外れる前にサーチを行うので、次の中継局や系列局へ瞬時に切替わり、見ている番組が途切れることなく快適に楽しむことができる。
【０００８】
特許文献１では、２個のチューナーを用いて状態の良い方の信号を用いて放送を受信し、電波が安定しているときに、一方のチューナーを用いてチャンネルサーチを行い、受信地域のチャンネル情報を準式に記憶させることでシームレスな受信方法を提供している。特許文献２は、受信状態が劣化しフルセグメント受信からワンセグメント受信に切換えた後、所定時間ワンセグメント受信が継続した場合には、ダイバーシティ受信のための複数の選局受信部を二つに分け、片方で視聴中の番組を受信し、残る一方でチャンネルサーチを行い、チャンネルサーチにより新たに受信状態の良い中継局を発見できた場合には、その中継局のチャンネルを選局する受信方法を提供している。
【先行技術文献】
【特許文献】
【０００９】
【特許文献１】特開２００４−３２０４０６号公報
【特許文献２】特開２０１１−８７０５１号公報
【発明の概要】
【発明が解決しようとする課題】
【００１０】
車載用のディジタル放送受信装置では、ダイバーシティ受信により受信感度を向上させ、かつ中継局や系列局のバックグランドサーチを行うために、複数のアンテナおよびチューナーを備えている。好ましくは、４つのアンテナが車両の前後左右に設置され、全方位からの放送の受信に対応する。図１は、このような従来のディジタル放送受信装置において受信感度が悪化したときのバックグランドサーチの動作を説明するタイミングチャートである。縦軸は、ダイバーシティ受信時の受信感度を表すＣ／Ｎ値（Carrier to noise）であり、横軸は時間である。Ｓ１は、フルセグメント放送を受信するためのしきい値、Ｓ２は、ワンセグメント放送を受信するためのしきい値であり、Ｓ１＞Ｓ２の関係である。
【００１１】
時刻Ｔ１〜Ｔ２の期間では、放送局Ａの受信感度が良好な期間である。つまり、放送局Ａの放送波を４つのチューナーで受信し、これらの受信信号をダイバーシティ合成（以下、４ダイバ合成と略す）したときの受信強度がフルセグメント放送を受信するためのしきい値Ｓ１を上回っている。この間、放送局Ａのフルセグメント放送による番組が出力される。
【００１２】
時刻Ｔ２〜Ｔ３の期間では、４ダイバ合成によるＣ／Ｎ値がしきい値Ｓ１を下回り、ノイズ耐性に強い、放送局Ａのワンセグメント放送に切換えられた期間である。この間、４ダイバ合成によるワンセグメント放送が出力される。また、時刻Ｔ２〜Ｔ３の所定期間Ｔａ内において、Ｃ／Ｎ値がしきい値Ｓ１まで回復するか否かが監視される。所定期間Ｔａ内に、Ｃ／Ｎ値がしきい値Ｓ１を上回らなければ、受信環境が回復しないと判定し、現在の放送局Ａの受信を継続しつつ、中継局／系列局のバックグランドサーチが実行される。中継局は、現在受信している放送局と同一番組を放送している放送局、系列局は、同一番組を放送している可能性の高い放送局である。
【００１３】
時刻Ｔ３〜Ｔ４のバックグランドサーチ期間中、現在の放送局Ａの受信には２つのチューナーが割り当てられ、中継局のサーチには残りの２つのチューナーが割り当てられる。受信用の２つのチューナーおよびサーチ用の２つのチューナーで受信された信号は、それぞれダイバーシティ合成（以下、２ダイバ合成と略す）され、両者のＣ／Ｎ値が比較され、現在受信中の放送局よりもＣ／Ｎ値の高い中継局が見つかった場合には、中継局に受信が切換えられる。時刻Ｔ４は、その様子を示している。現在の放送局ＡのＣ／Ｎ値よりも高いＣ／Ｎ値をもつ中継局Ｂが見つかると、中継局Ｂの受信に切換えられ、４ダイバ合成によりその放送が受信される。
【００１４】
しかしながら、２ダイバ合成によりＣ／Ｎ値が高い中継局Ｂへの受信に切換えられたとしても、必ずしも中継局Ｂのフルセグメント放送を受信できるとは限らない。すなわち、中継局Ｂを４ダイバ合成により受信したときのＣ／Ｎ値がしきい値Ｓ１を上回らない限りは、中継局Ｂのフルセグメント放送ではなくそのワンセグメント放送に切り替わるだけである。時刻Ｔ４において、中継局Ｂの２ダイバ合成によるＣ／Ｎ値が放送局ＡのＣ／Ｎ値を上回っているが、中継局Ｂの４ダイバ合成したときのＣ／Ｎ値がしきい値Ｓ１以下であるため、放送局Ａのワンセグメント放送から中継局Ｂのワンセグメント放送に切替るだけである。放送局Ａのワンセグメント放送から中継局Ｂのワンセグメント放送への切換えは、大幅な画質向上を見込めるわけではなく、却って、放送局Ａから中継局Ｂへの受信周波数変更による一時的な映像および音声のズレまたは不連続を生じさせてしまい、好ましいものではない。さらに、中継局Ｂがサーチされてしまったことで、系列局のサーチが停止されてしまい、系列局におけるフルセグメント放送の受信が可能であったとしても、そのサーチを行うことができなくなってしまう。
【００１５】
本発明は、上記のような従来の課題を解決するものであり、受信感度が劣化したとき、現在視聴中の番組の受信を継続しつつ高画質の番組の受信率を向上させるディジタル放送受信装置、自動選局方法および自動選局プログラムを提供することを目的とする。
【課題を解決するための手段】
【００１６】
本発明に係るディジタル放送受信装置は、１つの伝送帯域を複数のセグメントに分割し、複数のセグメントを利用した第１の変調方式による第１の番組放送と、前記複数のセグメントと異なるセグメントを利用した第２の変調方式による第２の番組放送を１つのチャンネルに含むディジタル放送を受信可能なものであって、選局されたディジタル放送を受信するｎ個（ｎは２以上の自然数）のチューナーを備えた受信手段と、前記受信手段で受信された信号をダイバーシティ合成する合成手段と、ダイバーシティ合成された信号を受け取り、第１の番組放送または第２の番組放送を出力する出力手段と、前記受信手段、前記合成手段および前記出力手段をそれぞれ制御可能な制御手段とを有する。前記制御手段は、ダイバーシティ合成された信号の受信感度に基づき、ｎ個のチューナーにより第１の番組放送を受信しているときの受信感度がしきい値以下になった場合には、ｐ個（ｎ＞ｐ）のチューナーにより現在の放送局を受信させ、ｎ−ｐ個のチューナーにより他の放送局をサーチさせるサーチ制御手段と、ｐ個のチューナーによる現在の放送局の受信感度とｎ−ｐ個のチューナーによる他の放送局の受信感度を比較し、比較結果に基づき前記受信手段による放送局の切換えを制御する切換制御手段と、受信感度が前記しきい値を超えるとき、前記出力手段に第１の番組放送を出力させ、受信感度が前記しきい値以下のとき、前記出力手段に第２の番組放送を出力させる出力制御手段とを有し、前記切換制御手段は、ｎ−ｐ個のチューナーによる他の放送局の受信感度からｎ個のチューナーにより他の放送局を受信したときに得られるであろう第１の受信感度を予測し、当該予測された第１の受信感度が前記しきい値を超えたとき、現在の放送局から他の放送局へ受信を切換えさせる。
【００１７】
好ましくは前記切換制御手段はさらに、ｐ個のチューナーによる現在の放送局の受信感度からｎ個のチューナーにより現在の放送局を受信したときに得られるであろう第２の受信感度を予測し、第１の受信感度が第２の受信感度よりも大きくかつ前記しきい値を超えたとき、現在の放送局から他の放送局へ受信を切換えさせる。好ましくは前記切替制御手段は、移動体の速度に応じて前記第１の受信感度の予測を可変する。好ましくは前記切換制御手段は、ｎ−ｐ個のチューナーによる他の放送局の受信感度が高くなるような補正値を付加することにより第１の受信感度を予測し、当該補正値は、ｎ−ｐの数によって決定される。好ましくは前記切替制御手段は、ｎ−ｐ個のチューナーによる受信感度としての電界強度に一定の係数である補正値を加算する。好ましくは前記切替制御手段は、移動体の速度が一定値を超えたとき、前記補正値を可変する。前記切換制御手段は、予め用意された補正値をメモリに記憶し、前記第１の受信感度を予測するとき、ｎ−ｐ個のチューナーの数または移動体の速度に基づきメモリから補正値を読出すようにしてもよい。好ましくは前記サーチ制御手段は、他の放送局のサーチとして中継局および系列局のサーチを含み、系列局よりも中継局を優先的にサーチする。好ましくは前記サーチ制御手段は、所定期間、ｎ個のチューナーにより第１の番組放送を受信しているときの受信感度がしきい値以下になった場合に、他の放送局のサーチを開始させる。好ましくは前記切換制御手段は、前記しきい値を超える第１の受信感度をもつ中継局または系列局が発見されなかった場合には、前記受信手段にｎ個のチューナーにより現在の放送局を受信させ、前記出力手段に現在の放送局の第２の放送番組を出力させる。好ましくはｎが偶数であるとき、ｐ＝１／２ｎである。好ましくはｎが３以上であるとき、ｐ＝ｎ−１である。好ましくは前記受信手段が４個のチューナーを備えているとき、前記サーチ制御手段は、３個のチューナーにより現在の放送局を受信させ、１個のチューナーにより他の放送局をサーチさせ、前記切換制御手段は、現在の放送局を受信している３個のチューナーの受信感度から４個のチューナーによる第２の受信感度を予測し、他の放送局をサーチしている１個のチューナーの受信感度から４個のチューナーによる第１の受信感度を予測し、前記切換制御手段は、第１の受信感度が第２の受信感度よりも大きくかつ前記しきい値を超えるとき、前記他の放送局に受信を切換えさせる。
【００１８】
本発明に係るディジタル放送受信装置における自動選局方法は、１つの伝送帯域を複数のセグメントに分割し、複数のセグメントを利用した第１の変調方式による第１の番組放送と、前記複数のセグメントと異なるセグメントを利用した第２の変調方式による第２の番組放送を１つのチャンネルに含むディジタル放送を受信可能なものであって、ｎ個（ｎは２以上の自然数）のチューナーにより選局された放送局のディジタル放送を受信し、受信された信号をダイバーシティ合成し、ダイバーシティ合成された信号の受信感度が、第１の番組放送を受信するためのしきい値以下になった場合には、ｐ個（ｎ＞ｐ）のチューナーにより現在の放送局を受信し、ｎ−ｐ個のチューナーにより他の放送局をサーチし、ｎ−ｐ個のチューナーによる他の放送局の受信感度からｎ個のチューナーにより他の放送局を受信したときに得られるであろう第１の受信感度を予測し、当該予測された第１の受信感度が前記しきい値を超えたとき、現在の放送局から他の放送局へ受信を切換える。
【００１９】
好ましくは自動選局方法はさらに、ｐ個のチューナーによる現在の放送局の受信感度からｎ個のチューナーにより現在の放送局を受信したときに得られるであろう第２の受信感度を予測し、第１の受信感度が第２の受信感度よりも大きくかつ前記しきい値を超えたとき、現在の放送局から他の放送局へ受信を切換える。好ましくは自動選局方法はさらに、移動体の速度を入手し、入手された移動体の速度に応じて第１の受信感度を予測する。好ましくは前記しきい値を超える第１の受信感度をもつ中継局または系列局が発見されなかった場合には、ｎ個のチューナーにより現在の放送局を受信させ、受信された現在の放送局の第２の放送番組を出力する。好ましくは４個のチューナーを備えているとき、３個のチューナーにより現在の放送局を受信し、１個のチューナーにより他の放送局をサーチし、現在の放送局を受信している３個のチューナーの受信感度から４個のチューナーによる第２の受信感度を予測し、他の放送局をサーチしている１個のチューナーの受信感度から４個のチューナーによる第１の受信感度を予測し、第１の受信感度が第２の受信感度よりも大きくかつ前記しきい値を超えるとき、他の放送局に受信を切換える。
【００２０】
本発明に係る自動選局プログラムは、１つの伝送帯域を複数のセグメントに分割し、複数のセグメントを利用した第１の変調方式による第１の番組放送と、前記複数のセグメントと異なるセグメントを利用した第２の変調方式による第２の番組放送を１つのチャンネルに含むディジタル放送を受信可能なディジタル放送受信装置が実行するものであって、ｎ個（ｎは２以上の自然数）のチューナーにより選局された放送局のディジタル放送を受信させ、受信された信号をダイバーシティ合成させ、ダイバーシティ合成された信号の受信感度が、第１の番組放送を受信するためのしきい値以下になった場合には、ｐ個（ｎ＞ｐ）のチューナーにより現在の放送局を受信させ、ｎ−ｐ個のチューナーにより他の放送局をサーチさせ、ｎ−ｐ個のチューナーによる他の放送局の受信感度からｎ個のチューナーにより他の放送局を受信したときに得られるであろう第１の受信感度を予測し、当該予測された第１の受信感度が前記しきい値を超えたとき、現在の放送局から他の放送局へ受信を切換えさせる。好ましくは４個のチューナーを備えているとき、３個のチューナーにより現在の放送局を受信させ、１個のチューナーにより他の放送局をサーチさせ、現在の放送局を受信している３個のチューナーの受信感度から４個のチューナーによる第２の受信感度を予測し、他の放送局をサーチしている１個のチューナーの受信感度から４個のチューナーによる第１の受信感度を予測し、第１の受信感度が第２の受信感度よりも大きくかつ前記しきい値を超えるとき、他の放送局に受信を切換えさせる。
【発明の効果】
【００２１】
本発明によれば、受信感度が悪化したとき、ｐ個のチューナーにより現在の放送局を受信させ、ｎ−ｐ個のチューナーにより他の放送局をサーチさせ、ｎ−ｐ個のチューナーによる受信感度からｎ個のチューナー受信時の受信感度を予測し、予測された受信感度がしきい値を超えるときに他の放送局へ受信を切替えるようにしたので、第１の番組放送よりも品質が優れていない第２の番組放送への不必要な切替を抑制することができ、品質の優れた第１の番組放送の受信率を向上させることができる。
【図面の簡単な説明】
【００２２】
【図１】従来の車載用ディジタル放送受信装置の自動選局動作を説明するタイミングチャートである。
【図２】本発明の実施例に係るディジタル放送受信装置の構成を示すブロック図である。
【図３】本発明の第１の実施例に係るディジタル放送受信装置の自動選局動作を示すフローチャートである。
【図４】本発明の第１の実施例によるバックグランドサーチの動作を示すフローチャートである。
【図５】４チューナー受信時の電界強度の予測を説明するためのドップラーフェージングのグラフである。
【図６】４チューナー受信時の電界強度と２チューナー受信時の電界強度の実測値を示すグラフである。
【図７】中継局のサーチを示すフローチャートである。
【図８】系列局のサーチを示すフローチャートである。
【図９】本発明の第１の実施例によるディジタル放送受信装置の自動選局動作のタイミングチャートである。
【図１０】中継局／系列局が見つからなかった場合のタイミングチャートである。
【図１１】補正値を格納するテーブルの一例を示す図である。
【図１２】第１の実施例におけるバックグランドサーチの改善点を説明するタイミングチャートである
【図１３】本発明の第２の実施例によるディジタル放送受信装置の自動選局動作のタイミングチャートである。
【発明を実施するための形態】
【００２３】
次に、本発明の実施の形態について図面を参照して説明する。好ましい態様では、本発明のディジタル放送受信装置は、自動車等の車両に搭載される。また、本発明のディジタル放送受信装置は、４つのチューナーを含み、各アンテナは、車両の前後左右の４箇所に設置され、車両の全方位からのディジタル放送の受信を可能にする。
【実施例】
【００２４】
本発明の実施例に係るディジタル放送受信装置の構成を図２に示す。ここでの説明において、「第１」は、フルセグメント放送を表し、「第２」は、ワンセグメント放送を表すものとする。ディジタル放送受信装置１００は、第１のアンテナ１０２ａ、第２のアンテナ１０２ｂ、第３のアンテナ１０２ｃ、第４のアンテナ１０２ｄと、第１ないし第４のアンテナ１０２ａ〜１０２ｄにそれぞれ接続された第１のチューナー１０４ａ、第２のチューナー１０４ｂ、第３のチューナー１０４ｃ、第４のチューナー１０４ｄと、第１ないし第４のチューナー１０４ａ〜１０４ｂからの信号を受け取りダイバーシティ合成するダイバーシティ合成部１０６と、ダイバーシティ合成された信号に基づきディジタル放送の伝送中に生じる誤りを検出しそれを訂正する誤り訂正部１０８と、多重化されているストリームデータを分離し、音声ストリーム、映像ストリームおよびデータストリームを得るデマルチプレクサ１１０と、第１の放送番組の音声ストリームをデコードしディジタル音声信号を再生する第１の音声デコーダ１１２ａと、第２の放送番組の音声ストリームをデコードしディジタル音声信号を再生する第２の音声デコーダ１１２ｂと、第１の放送番組の映像ストリームをデコードし映像信号を再生する第１の映像デコーダ１１４ａと、第２の放送番組の映像ストリームをデコードし映像信号を再生する第２の映像デコーダ１１４ｂと、データストリームをデコードするデータデコーダ１１６と、第１の放送番組または第２の放送番組の音声信号を選択する音声選択部１１８と、第１の放送番組または第２の放送番組の映像信号を選択する映像選択部１２０と、音声選択部１１８により選択されたディジタル音声信号をアナログ音声信号に変換し、スピーカから音声出力する音声出力部１２２と、映像選択部１２０により選択された映像信号をディスプレイ等に描画する映像出力部１２４と、車両に関する情報、例えば車速情報などを受け取るインターフェース部１２６と、ユーザーからの入力を受け取る入力部１２８と、データ等を記憶するメモリ１３０と、各部を制御する制御部１４０とを有する。
【００２５】
第１ないし第４のチューナー１０４ａ〜１０４ｄは、入力部１２８からのユーザー入力に応じて、放送局（またはチャンネル）の周波数を選択し、選択された放送局の放送信号を受信し、さらに受信された信号を復調し、トランスポートストリーム信号を生成し、これをダイバーシティ合成部１０６へ提供する。ダイバーシティ合成部１０６は、各チューナーからの信号を受け取り、ダイバーシティ合成されたトランスポートストリーム信号を生成する。好ましくは、ダイバイーシティ合成部１０６は、各チューナーからの信号の位相を制御し、位相制御されたトランスポートストリーム信号を合成する。但し、ダイバーシティ合成部１０６は、位相制御以外の方法、例えば、最大電力の信号を選択するような方法、信号電力に比例した重みを付ける方法などを行うものであってもよい。
【００２６】
ダイバーシティ合成部１０６は、制御部１４０からの制御信号に基づき制御され、ディジタル放送を４つのチューナーで受信された信号をダイバーシティ合成（４ダイバ合成）したり、３つのチューナーで受信された信号をダイバーシティ合成（３ダイバ合成）したり、２つのチューナーで受信された信号をダイバーシティ合成（２ダイバ合成）することができる。
【００２７】
ダイバーシティ合成されたトランスポートストリームは誤り訂正部１０８へ提供される。誤り訂正部１０８は、トランスポートストリームから受信したディジタル放送の伝送中の誤り率を算出し、誤り率を示す信号ＢＥＲを制御部１４０へ出力する。誤り率ＢＥＲは、ダイバーシティ合成部１０６による合成されるチューナーの数に応じたものであり、すなわち、４ダイバ合成されている場合には、４ダイバ合成の誤り率が出力され、また、２つのチューナーが現在の放送局の受信に割り当てられ、残りの２つのチューナーが他の放送局（中継局／系列局）のサーチに割り当てられる場合には、それぞれの２ダイバ合成の誤り率が出力され、３つのチューナーが現在の放送局の受信に割り当てられ、残りの１つのチューナーが他の放送局のサーチに割り当てられる場合には、それぞれの誤り率が出力される。
【００２８】
デマルチプレクサ１１０は、入力したトランスポートストリームに多重化されている音声ストリーム、映像ストリームおよびデータストリームを分離し、それぞれのデコーダ１１２ａ、１１２ｂ、１１４ａ、１１４ｂ、１１６へ出力する。データストリームには、データ放送用の情報ストリームが含まれ、さらにそこには、ＮＩＴ(Network Information Table)やＥＩＴ（Event Information Table）が含まれている。ＥＩＴには、番組の名称、放送日時、番組内容、番組を識別するためのイベントＩＤ等が含まれている。このイベントＩＤをチェックすることで、フルセグメントの番組とワンセグメントの番組が同一か否かを判定することができる。また、ＮＩＴには、受信している放送局と同一番組を放送している中継局の情報などが含まれる。
【００２９】
第１の音声デコーダ１１２ａは、フルセグメント放送の番組の音声ストリームをデコードし、再生されたディジタル音声信号を出力する。第２の音声デコーダ１１２ｂは、ワンセグメント放送の番組の音声ストリームをデコードし、再生されたディジタル音声信号を出力する。第１の映像デコーダ１１４ａは、フルセグメント放送の番組の映像ストリームをデコードし、第２の映像デコーダ１１４ｂは、ワンセグメント放送の番組の映像ストリームをデコードし、それぞれの映像信号を出力する。データデコーダ１１６は、データストリームをデコードし、その結果を制御部１４０へ出力する。
【００３０】
音声選択部１１８は、制御部１４０からの制御信号に応じてフルセグメント放送の番組またはワンセグメント放送の番組の音声信号を選択し、映像選択部１２０も同様に、制御部１４０からの制御信号に応じてフルセグメント放送の番組またはワンセグメント放送の番組の映像信号を選択する。すなわち、制御部１４０により受信感度が良好であると判定された場合には、フルセグメント放送の番組が選択され、受信感度が悪化したと判定された場合には、ノイズ耐性のあるワンセグメント放送の番組が選択される。
【００３１】
制御部１４０は、好ましくはマイクロコントローラなどから構成され、メモリに格納されたプログラムを実行することで各部を制御する。制御部１４０は、ダイバーシティ受信時の受信感度を判定し、受信感度が良好であれば、４ダイバ合成によるフルセグメント放送の番組を出力させるが、受信感度が悪化した場合には、２つのチューナーにより現在の放送局を受信させ、残りの２つのチューナーにより他の放送局（中継局／系列局）をバックグランドでサーチさせる動作モードを含む。
【００３２】
制御部１４０は、受信感度を判定するための情報として、ダイバーシティ合成部１０６によりダイバ合成された信号の電界強度（Ｃ／Ｎ値）を用いることができる。この場合、Ｃ／Ｎ値がしきい値を超えれば、受信感度が良好であると判定し、しきい値以下となれば、受信感度が悪化したと判定する。さらに制御部１４０は、誤り訂正部１０８から出力される誤り率ＢＥＲを受信感度に利用することができる。この場合、誤り率ＢＥＲがしきい値以上のとき、受信感度が悪化していると判定し、しきい値未満であれば受信感度が良好であると判定することができる。さらに制御部１４０は、誤り率ＢＥＲからＣ／Ｎ値を算出し、このＣ／Ｎ値を受信感度の判定に用いることもできる。本実施例では、好ましい例として、ダイバーシティ合成部１０６で合成された信号の電界強度（Ｃ／Ｎ値）により受信感度を判定する例を示す。
【００３３】
制御部１４０は、Ｃ／Ｎ値とフルセグメント放送を受信するためのしきい値とを比較し、Ｃ／Ｎ値がしきい値を超える場合には、受信感度が良好であると判定し、それ以下である場合には受信感度が悪化していると判定する。４つのチューナーによる４ダイバ合成の受信が行われているときは、４ダイバ合成された信号のＣ／Ｎ値としきい値とが比較される。バックグランドサーチが行われている場合には、現在の放送局の受信に割り当てられた２ダイバ合成された信号のＣ／Ｎ値と、他の放送局のサーチに割り当てられた２ダイバ合成された信号のＣ／Ｎ値とのそれぞれが、しきい値と比較される。受信感度の判定に用いられるしきい値は、不揮発性の書き換え可能なメモリ１３０に格納される。
【００３４】
制御部１４０は、受信感度が悪化したと判定した場合には、所定期間、４ダイバ合成によるワンセグメント放送の番組が出力されるように、音声選択部１１８、映像選択部１２０を制御する。所定期間を経過しても受信感度が回復しない場合には、バックグランドサーチを開始し、２ダイバ合成によるワンセグメント放送の番組を出力しつつ、２ダイバ合成による中継局または系列局をサーチする。現在の放送局よりも受信感度が良好な中継局もしくは系列局が見つかれば、制御部１４０は、放送局の受信を切替えるように第１ないし第４のチューナー１０２ａ〜１０２ｄを制御する。本実施例では、後述するように、中継局または系列局への受信の切替えは、２ダイバ合成時の受信感度から４ダイバ合成時に得られるであろう受信感度を予測し、その予測された受信感度がフルセグメント放送の受信のためのしきい値を上回るときに実施される。
【００３５】
次に、本実施例のディジタル放送受信装置の自動選局動作について説明する。図３は、自動選局動作を説明するフローチャートである。前提として、ユーザー入力に応答して第１ないし第４のチューナー１０４ａ〜１０４ｄにより放送局が選択され（Ｓ１０１）、それらのチューナーにより受信された信号がダイバーシティ合成部１０６によって４ダイバ合成され（Ｓ１０２）、４ダイバ合成時のＣ／Ｎ値がフルセグメント放送を受信するためのしきい値Ｓ１よりも大きく、音声選択部１１８および映像選択部１２０によりフルセグメント放送の番組が選択され、音声出力部１２２および映像出力部１２４によりフルセグメント放送が出力されているものとする（Ｓ１０３）。
【００３６】
制御部１４０は、ダイバーシティ受信時の受信感度を監視し、すなわち、４ダイバ合成によるＣ／Ｎ値としきい値Ｓ１とを比較し（Ｓ１０４）、Ｃ／Ｎ値がしきい値Ｓ１を上回っている間は、受信感度が良好であると判定し、フルセグメント放送を選択し、これを出力させる。一方、Ｃ／Ｎ値がしきい値Ｓ１以下になった場合には、自車の移動に伴う受信環境の変化により受信感度が悪化したと判定し、ノイズ耐性に強いワンセグメント放送に出力を切替える（Ｓ１０５）。この時点では、まだ４ダイバ合成である。
【００３７】
制御部１４０は、Ｃ／Ｎ値がしきい値Ｓ１を下回る期間が所定期間Ｔａを超えた場合には、受信感度の劣化は一時的なものではなく、回復する見込みがないものと判定し（Ｓ１０６）、バックグランドサーチを開始する（Ｓ１０６）。バックグランドサーチの結果、現在の放送局よりも受信感度が良くフルセグメント放送を受信できる中継局または系列局が見つかれば（Ｓ１０８）、その中継局または系列局に受信を切替える（Ｓ１０９）。もし、見つからない場合には、現在の放送局が４ダイバ合成により受信継続される。
【００３８】
図４は、本実施例のバックグランドサーチ動作を示すフローチャートである。制御部１４０は、バックグランドサーチを決定すると（Ｓ２０１）、４つのチューナーのうち、２つのチューナーに現在の放送局を継続して受信させ、残りの２つのチューナーに中継局／系列局をサーチさせる（Ｓ２０２）。例えば、４つのチューナーのうち、受信信号の電界強度が最も高い２つのチューナーに現在の放送局を受信させる。制御部１４０からの指示により、２つのグループのチューナーは、現在の放送局の受信と、他の放送局のサーチを行い、これに応じてダイバーシティ合成部１０６は、現在の放送局を受信する２つのチューナーからの信号を２ダイバ合成し、他の放送局をサーチする２つのチューナーからの信号を２ダイバ合成する。
【００３９】
次に、制御部１４０は、中継局／系列局サーチ用の２つのチューナーによる２ダイバ合成時のＣ／Ｎ値から、４つのチューナーによる４ダイバ合成時に得られるであろうＣ／Ｎ値を予測する（これを、便宜上、第１の予測値とする）。同様に、現在の放送局の受信用の２つのチューナーによる２ダイバ合成時のＣ／Ｎ値から、４つのチューナーによる４ダイバ合成時に得られるであろうＣ／Ｎ値を予測する（これを、便宜上、第２の予測値とする）。
【００４０】
次に、Ｃ／Ｎ値の予測方法について説明する。一般的に、合成ダイバーシティ受信では、１チューナー受信と、４チューナー受信では、通常走行時であれば、Ｃ／Ｎ値に約「６ｄＢ」の差が生じることがわかっている。図５は、１チューナー、２チューナー、４チューナー受信時のドップラーフェージングを表すグラフであり、縦軸がＣ／Ｎ値、横軸がドップラー周波数である。移動体の速度が約１００Ｋｍ／ｈ程度までは、１チューナーと４チューナーのフェージングは約６ｄＢであり、２チューナーと４チューナーのフェージングは約３ｄＢである。１４０Ｋｍ／ｈ程度までは、１チューナーのフェージングが車速に比例するように増加するが、１４０Ｋｍ／ｈを超えると、１チューナー、２チューナーによるフェージングが加速度的に大きくなり、つまり、１チューナーと４チューナーのフェージングの差分、２チューナーと４チューナーのフェージングの差分が加速度的に大きくなる。
【００４１】
図６は、２ダイバ合成によるＣ／Ｎ値と、４ダイバ合成によるＣ／Ｎ値を実測したときのグラフである。縦軸は、Ｃ／Ｎ値［ｄＢ］、横軸は、時間［ｓ］である。実測値の差分の平均値は、３．３７ｄＢである。２ダイバ合成と４ダイバ合成によるＣ／Ｎ値の差分の理論値は、図５に示すように、３ｄＢであり、フィールドテスト値は、３．３７ｄＢであり、両者に大差がないことが確認された。
【００４２】
従って、制御部１４０は、第１の予測値＝２ダイバ合成時のＣ／Ｎ値＋３ｄＢ（補正値）、第２の予測値＝２ダイバ合成時のＣ／Ｎ＋３ｄＢ(補正値)を求める。再び図４に戻り、制御部１４０は、第１の予測値と第２の予測値とを比較し、第１の予測値が第２の予測値よりも大きいか否かを判定する（Ｓ２０４）。第１の予測値が第２の予測値よりも大きい場合には、さらに第１の予測値がフルセグメントを受信するためのしきい値Ｓ１よりも大きいか否かを判定する（Ｓ２０５）。第１の予測値がしきい値Ｓ１よりも大きい場合には、中継局または系列局に受信を切替えたときに、フルセグメント放送を出力することができる蓋然性が非常に高くなる。このため、中継局／系列局に受信を切替える（Ｓ２０６）。一方、第１の予測値が第２の予測値以下であるとき、および第１の予測値がしきい値Ｓ１以下であるとき、図４のステップＳ１０２に戻り、４ダイバ合成により現在の放送局の受信が継続される。
【００４３】
バックグランドサーチにおいて、制御部１４０は、中継局のサーチを系列局のサーチよりも優先させ、受信感度の良好な中継局が見つからない場合に、系列局のサーチを実行する。図７は、中継局のサーチフローであり、図８は、系列局のサーチフローである。中継局のサーチでは、現在の放送局で受信された情報ストリームから中継局の情報を取得し、サーチに割り当てられたチューナーは、中継局の周波数を設定する（Ｓ３０１）。チューナーによりＯＦＤＭが検出され（Ｓ３０２）、その受信信号のＣ／Ｎ値がしきい値以上であれば（Ｓ３０３）、設定された周波数に基づき中継局であるか否かが判定され（Ｓ３０４）、仮に、上記したように、中継局の受信感度が現在の放送局の受信感度よりも良好でありかつフルセグメント放送を受信するしきい値Ｓ１を超えるならば、中継局が選択され（Ｓ３０５）、中継局サーチが終了される（Ｓ３０６）。全チャンネルをサーチしても切替えるべき中継局が見つからなかった場合には、系列局サーチに遷移する（Ｓ３０８）。
【００４４】
系列局サーチは、図８に示すように、１３＾６２チャンネルの周波数が設定され（Ｓ４０１）、次いで、チューナーによりＯＦＤＭが検出されると（Ｓ４０２）、そのＣ／Ｎ値がしきい値よりも大きい場合には（Ｓ４０３）、設定された周波数に基づき系列局か否かが判定される（Ｓ４０４）。系列局の受信感度が現在の放送局の受信感度よりも良好でありかつフルセグメント放送を受信するしきい値Ｓ１を超えるならば、系列局が選択され（Ｓ４０５）、系列局サーチが終了される（Ｓ４０６）。全チャンネルをサーチしても切替えるべき系列局が見つからなかった場合には、サーチ前の現在の放送局の受信を継続する（Ｓ４０８）。
【００４５】
次に、第１の実施例の具体的なバックグランドサーチを、図９のタイミングチャートを参照して説明する。Ｓ１は、フルセグメント放送を受信するためのしきい値であり、例えば、２２ｄＢである。Ｓ２は、ワンセグメント放送を受信するためのしきい値である。受信信号がしきい値Ｓ１を上回る電界強度であれば、音声および映像は、フルセグメント放送として受信可能であり、しきい値Ｓ２を上回る電界強度であれば、音声および映像は、ワンセグメント放送として受信可能である。
【００４６】
時刻Ｔ１〜Ｔ２において、４ダイバ合成によるＣ／Ｎ値は、しきい値Ｓ１を越えているため、フルセグメント放送の番組が出力される。時刻Ｔ２で、４ダイバ合成によるＣ／Ｎ値がしきい値Ｓ１を下回ると、制御部１４０の制御ににより、４ダイバ合成によるワンセグメント放送の番組が出力される。受信感度が回復することもあるため、所定期間Ｔａ、Ｃ／Ｎ値がしきい値Ｓ１を下回るか否かを確認する。所定期間Ｔａを経過してもＣ／Ｎ値がしきい値Ｓ１以下である場合には、制御部１４０は、２チューナーにより現在の放送局を受信させ、２チューナーにより中継局／系列局をサーチさせるバックグランドサーチを開始する（時刻Ｔ３〜Ｔ４）。なお、時刻Ｔ３において、現在の放送局の受信は、４ダイバ合成から２ダイバ合成に切替るため、Ｃ／Ｎ値は約３ｄＢ低下する。
【００４７】
バックグランドサーチでは、図９（Ｂ）に示すように、中継局等をサーチする２ダイバ合成時のＣ／Ｎ値から４ダイバ合成時の第１の予測値と、現在の放送局を受信する２ダイバ合成時のＣ／Ｎ値から４ダイバ合成時の第２の予測値との比較が行われる。仮に、時刻Ｔ４において、中継局Ｂの第１の予測値が、現在の放送局Ａの第２の予測値よりも大きく、かつ第１の予測値がしきい値Ｓ１よりも大きくなると、制御部１４０は、放送局Ａから中継局Ｂへ受信を切替えると判定し、４つのチューナー１０２ａ〜１０２ｄに中継局Ｂを受信させ、ダイバーシティ合成部１０６に４ダイバ合成させる。また、音声選択部１１８および映像選択部１２０にフルセグメント放送を選択させる。こうして、現在の放送局と同じ番組であり、かつワンセグメント放送から高品位のフルセグメント放送に切替えられた番組を出力させることができる。
【００４８】
図１０は、バックグランドサーチにより中継局および系列局が見つからなかった場合のタイミングチャートを示している。図９の場合と異なり、時刻Ｔ４において、中継局Ｂの第１の予測値が、現在の放送局Ａの第２の予測値よりも大きいが、第１の予測値がしきい値Ｓ１以下であるため、制御部１４０は、中継局Ｂへの受信切替を行わず、時刻Ｔ４〜Ｔ５において系列局サーチに移行する。ここでも、第２の予測値よりも大きく、かつしきい値Ｓ１よりも大きい系列局の第１の予測値が見つからなかった場合には、制御部１４０は、時刻Ｔ５において、再び４つのチューナーにより現在の放送局Ａの受信を継続させる。４ダイバ合成によりＣ／Ｎ値がしきい値Ｓ１よりも依然として小さいため、ワンセグメント放送の出力が継続される。時刻Ｔ５〜Ｔ６の所定期間Ｔａを経過してもＣ／Ｎ値が回復しない場合には、時刻Ｔ６〜Ｔ７でバックグランドサーチが実施される。図１０の例では、時刻Ｔ７において中継局Ｂが発見された例を示すが、もし、中継局／系列局が見つからない場合は、同様の処理が繰り返される。
【００４９】
次に、第１の実施例の変形例について説明する。上記実施例では、第１の予測値および第２の予測値は、２ダイバ合成時のＣ／Ｎ値に補正値として３ｄＢを加算したが、変形例では、加算する補正値を車速に応じて可変するものである。図５において説明したように、Ｃ／Ｎ値のフェージングは、単一チューナーでは、車速が約１００Ｋｍ／ｈを超える近傍から増加し、２ダイバ合成では、約１４０Ｋｍ／ｈを超える近傍から増加する。制御部１４０は、Ｉ／Ｆ部１２６から車速情報を入手し、車速情報に応じて加算すべき補正値を可変する。本実施例では、２ダイバ合成のＣ／Ｎ値から４ダイバ合成のＣ／Ｎ値を予測するため、車速が１４０Ｋｍ／ｈ以下の場合に、補正値として３ｄＢを加算し、１４０Ｋｍ／ｈ〜２３０Ｋｍの範囲で、補正値が３ｄＢから１０ｄＢに線形に増加させる。また、１チューナーのＣ／Ｎ値から２ダイバ合成のＣ／Ｎ値を予測する場合には、車速が１００Ｋｍ／ｈまでは補正値として３ｄＢを加算し、１００〜１４０Ｋｍ／ｈの範囲で、補正値が３ｄＢから７ｄＢに線形に増加させる。補正値は、リアルタイムで延在により求めることも可能であるが、図１１（Ａ）に示すように、車速に応じた補正値を規定したテーブルを予め用意し、これをメモリ１３０に保持し、テーブルから補正値を得るようにしてもよい。また、図１１（Ｂ）に示すように、実際に用いるチューナーの数または予測するチューナーの数との差と、補正値との関係を規定したテーブルをメモリに保存しておき、このテーブルから補正値を抽出するようにしてもよい。このように車速に応じて予測値を補正することで、マルチパスフェージングの影響を考慮することができる。また、アンテナの指向性を考慮するため、アンテナが１本であることによる車のピラー等の障害物の影響を避けるため、所定の期間（例えば３秒）のＣ／Ｎ値の移動平均をとり平均化してから予測値を算出するようにしてもよい。
【００５０】
次に、本発明の第２の実施例について説明する。バックグランドサーチを行うとき、現在の放送局の番組を４チューナーから２チューナーで受信することになるため、現在視聴中の番組の電界強度が小さいと、中継局サーチ中に現在の番組が継続受信できないことが生じ得る。図１２に示すように、時刻Ｔ３において、４ダイバ合成から２ダイバ合成に切替るため、放送局ＡのＣ／Ｎ値が約３ｄＢ低下し、状態Ｌになる。状態ＬのＣ／Ｎ値が、ワンセグメント放送の受信のためのしきい値Ｓ２よりも小さいと、ワンセグメント放送の映像等を表示することができなくなってしまう。
【００５１】
そこで、第２の実施例では、バックグランドサーチを行う場合、現在の放送局の受信に３つのチューナーを割り当て、他の放送局のサーチに１つのチューナーを割り当てることで、自動選局を行う。図１３は、第２の実施例における自動選局動作を示している。時刻Ｔ３において、バックグラウンドサーチに移行した際、現在の放送局を３チューナーで継続受信し、１チューナーのみで中継局サーチを実行させる。放送局Ａの受信は、４ダイバ合成から３ダイバ合成に切替るが、Ｃ／Ｎ値の低下は、約１．５ｄＢと小さい。このため、放送局Ａの受信が状態Ｌに低下しても、状態ＬのＣ／Ｎ値がワンセグメント放送のしきい値Ｓ２よりも大きくなり、ワンセグメント放送を継続させることができる。
【００５２】
バックグランドサーチでは、現在の放送局を受信している３チューナーの電界強度から４チューナー時の電界強度を予測した結果と、中継局をサーチしている１チューナーの電界強度から４チューナ時の電界強度を予測した結果を比較し、中継局の電界強度が現在の番組の電界強度を超えており、かつフルセグメント放送の受信のしきい値Ｓ１を超えた場合に、中継局に受信を切替える。時刻Ｔ４にその様子を示す。放送局ＡのＣ／Ｎ値に補正値として１．５ｄＢを加算することで第１の予測値が生成され、中継局ＢのＣ／Ｎ値に補正値として６．０ｄＢを加算することで第２の予測値が生成され、第１の予測値が第２の予測値よりも大きく、かつしきい値Ｓ１を超えるとき、中継局Ｂへの受信の切替が行われる。
【００５３】
このように本実施例によれば、バックグラウンドサーチする際、２チューナーで中継局サーチを実行し、検出した電界強度から４チューナーでサーチしたときの電界強度を予測するようにしたため、不必要な中継局への切替（ワンセグメント放送の中継局への切替）をなくすことができる。また、バックグラウンドサーチする際、１チューナーで中継局サーチを実行し、検出した電界強度から４チューナーでサーチしたときの電界強度を予測すると、現在視聴中の番組の電界強度が小さい場合でも、中継局サーチ中に、現在の番組を継続受信することができる。
【００５４】
以上、本発明の好ましい実施の形態について詳述したが、本発明は、特定の実施形態に限定されるものではなく、特許請求の範囲に記載された本発明の要旨の範囲内において、種々の変形・変更が可能である。上記実施例では、４つのアンテナおよい４つのチューナーを備えたディジタル放送受信装置を示したが、チューナーの数は、４つに限定されるものではなく、本発明は、２つまたは３つ、あるいは５つ以上の任意の数のチューナーを有する受信装置にも適用することができる。この場合、ｎ個のチューナーが偶数であるとき、現在の放送局の受信に割り当てるチューナーの数は、１／２×ｎとすることができる。また、ｎ個のチューナーの数が３以上であるとき、ｎ−１の数のチューナーに現在の放送局の受信を割り当てることで現在の番組の視聴を継続し易すくすることができる。
【符号の説明】
【００５５】
１００：ディジタル放送受信装置            １０２ａ〜１０２ｄ：アンテナ
１０４ａ〜１０４ｄ：チューナー            １０６：ダイバーシティ合成部
１０８：誤り訂正部                        １１０：デマルチプレクサ
１１２ａ、１１２ｂ：音声デコーダ          １１４ａ、１１４ｂ：映像デコーダ
１１６：データデコーダ                    １１８：音声選択部
１２０：映像選択部                        １２２：音声出力部
１２４：映像出力部                        １２６：インターフェース部
１２８：入力部                            １３０：メモリ
１４０：制御部
【図１】
0005826044.tif 000002
【図２】
0005826044.tif 000003
【図３】
0005826044.tif 000004
【図４】
0005826044.tif 000005
【図５】
0005826044.tif 000006
【図６】
0005826044.tif 000007
【図７】
0005826044.tif 000008
【図８】
0005826044.tif 000009
【図９】
0005826044.tif 000010
【図１０】
0005826044.tif 000011
【図１１】
0005826044.tif 000012
【図１２】
0005826044.tif 000013
【図１３】
0005826044.tif 000014